(57)【要約】【課題】耐久性の高い綴じ具及びバインダーを提供すること。【解決手段】平板状の基板１２と、基板１２の一側辺に設けられた第一側壁１５と、基板１２を間に挟んで一側辺と反対側の側辺である他側辺に設けられた第二側壁１８と、一側辺及び他側辺と交差する側辺のうちの少なくとも一つの側辺に設けられた端壁２１と、第一側壁１５に端壁２１を着脱可能に連結し且つ第二側壁１８に端壁２１を着脱可能に連結する連結部２２と、を備えることを特徴とする。【選択図】図２
2013119235.tif 000002
【特許請求の範囲】
【請求項１】
平板状の基板と、
前記基板の一側辺に設けられた第一側壁と、
前記基板を間に挟んで前記一側辺と反対側の側辺である他側辺に設けられた第二側壁と、
前記一側辺及び前記他側辺と交差する側辺のうちの少なくとも一つの側辺に設けられた端壁と、
前記第一側壁に前記端壁を着脱可能に連結し且つ前記第二側壁に前記端壁を着脱可能に連結する連結部と、
を備えることを特徴とする綴じ具。
【請求項２】
請求項１に記載の綴じ具であって、
前記連結部は、
前記第一側壁の側辺のうち前記一側辺と交差し且つ前記端壁側に位置する側辺である第一端側側辺に開口された第一溝部と、
前記第二側壁の側辺のうち前記他側辺と交差し且つ前記端壁側に位置する側辺である第二端側側辺に開口された第二溝部と、
前記端壁の側辺に形成され前記第一溝部に入り込む第一突起部と、
前記端壁の側辺に形成され前記第二溝部に入り込む第二突起部と、
を有し、
前記第一溝部は、
前記第一端側側辺に形成された開口から前記一側辺と平行に延びる第一突起導入路と、
前記一側辺から離れる方向へ前記第一突起導入路が曲折されることにより前記第一突起導入路に形成された第一突起係止部と、
を有し、
前記第二溝部は、
前記第二端側側辺に形成された開口から前記他側辺と平行に延びる第二突起導入路と、
前記他側辺から離れる方向へ前記第二突起導入路が曲折されることにより前記第二突起導入路に形成された第二突起係止部と、
を有する
ことを特徴とする綴じ具。
【請求項３】
請求項１に記載の綴じ具であって、
前記基板を厚さ方向から見たときの外形形状は略矩形形状であり、
前記端壁は、
前記一側辺及び前記他側辺と交差する側辺の一方の側辺に設けられた第一端壁と、
前記一側辺及び前記他側辺と交差する側辺の他方の側辺に設けられた第二端壁と、
を有し、
前記連結部は、
前記第一側壁に前記第一端壁を着脱可能に連結し且つ前記第二側壁に前記第一端壁を着脱可能に連結する第一連結部と、
前記第一側壁に前記第二端壁を着脱可能に連結し且つ前記第二側壁に前記第二端壁を着脱可能に連結する第二連結部と、
を有することを特徴とする綴じ具。
【請求項４】
請求項１に記載の綴じ具であって、
前記基板を厚さ方向から見たときの外形形状は略矩形形状であり、
前記第一側壁は、前記一側辺において折り曲げ可能に前記基板と一体成形され、
前記第二側壁は、前記他側辺において折り曲げ可能に前記基板と一体成形され、
前記端壁は、前記基板の側辺のうち前記一側辺と前記他側辺とのどちらとも異なる２つの側辺のうちの少なくともいずれかの側辺において折り曲げ可能に前記基板と一体成形されている
ことを特徴とする綴じ具。
【請求項５】
請求項３または請求項４に記載の綴じ具であって、
前記一側辺の両端のうちの少なくとも一方の端には、前記一側辺の中間部において前記第一側壁と前記基板とを接続状態とし且つ当該少なくとも一方の端において前記第一側壁と前記基板とを未接続状態とする切れ込みが形成されており、
前記他側辺の両端のうちの少なくとも一方の端には、前記他側辺の中間部において前記第二側壁と前記基板とを接続状態とし且つ当該少なくとも一方の端において前記第二側壁と前記基板とを未接続状態とする切れ込みが形成されている
ことを特徴とする綴じ具。
【請求項６】
請求項１から請求項５のいずれか一項に記載の綴じ具であって、
前記第一側壁と前記第二側壁とを連結する棒状の綴じ棒をさらに備える
ことを特徴とする綴じ具。
【請求項７】
請求項１から請求項６のいずれか一項に記載の綴じ具と、
前記基板が固定される背表紙並びに該背表紙に連結された表紙及び裏表紙を有する表装部材と、
を備えることを特徴とするバインダー。
【発明の詳細な説明】
【技術分野】
【０００１】
本発明は、綴じ具及びバインダーに関する。
【背景技術】
【０００２】
従来、壁紙やカーテンなどの見本が固定された複数の台紙を保持するバインダーが知られている。例えば、特許文献１には、見本帳用バインダーが開示されている。
特許文献１に記載の見本帳用バインダーは、基板と、この基板に垂直に固定された端壁及び一組の側壁とを有する。一組の側壁同士は、綴じ棒によって連結されている。さらに、見本帳用の台紙が綴じ棒に取り付けられるようになっている。ここで、端壁は、台紙の端部を突き当てて切り口を揃えたり、台紙の重量を支えたりする目的で設けられている。
【先行技術文献】
【特許文献】
【０００３】
【特許文献１】特開２００６−３４１３８９号公報
【発明の概要】
【発明が解決しようとする課題】
【０００４】
しかしながら、特許文献１に記載の見本帳用バインダーでは、端壁は基板のみに連結されているので、端壁が破損しやすく耐久性が低いという問題がある。
【０００５】
本発明は、上述した事情に鑑みてなされたものであって、その目的は、耐久性の高い綴じ具及びバインダーを提供することである。
【課題を解決するための手段】
【０００６】
上記課題を解決するために、この発明は以下の手段を提案している。
本発明の綴じ具は、平板状の基板と、前記基板の一側辺に設けられた第一側壁と、前記基板を間に挟んで前記一側辺と反対側の側辺である他側辺に設けられた第二側壁と、前記一側辺及び前記他側辺と交差する側辺のうちの少なくとも一つの側辺に設けられた端壁と、前記第一側壁に前記端壁を着脱可能に連結し且つ前記第二側壁に前記端壁を着脱可能に連結する連結部と、を備えることを特徴とする綴じ具である。
【０００７】
また、前記連結部は、前記第一側壁の側辺のうち前記一側辺と交差し且つ前記端壁側に位置する側辺である第一端側側辺に開口された第一溝部と、前記第二側壁の側辺のうち前記他側辺と交差し且つ前記端壁側に位置する側辺である第二端側側辺に開口された第二溝部と、前記端壁の側辺に形成され前記第一溝部に入り込む第一突起部と、前記端壁の側辺に形成され前記第二溝部に入り込む第二突起部と、を有し、前記第一溝部は、前記第一端側側辺に形成された開口から前記一側辺と平行に延びる第一突起導入路と、前記一側辺から離れる方向へ前記第一突起導入路が曲折されることにより前記第一突起導入路に形成された第一突起係止部と、を有し、前記第二溝部は、前記第二端側側辺に形成された開口から前記他側辺と平行に延びる第二突起導入路と、前記他側辺から離れる方向へ前記第二突起導入路が曲折されることにより前記第二突起導入路に形成された第二突起係止部と、を有することが好ましい。
【０００８】
また、前記基板を厚さ方向から見たときの外形形状は略矩形形状であり、前記端壁は、前記一側辺及び前記他側辺と交差する側辺の一方の側辺に設けられた第一端壁と、前記一側辺及び前記他側辺と交差する側辺の他方の側辺に設けられた第二端壁と、を有し、前記連結部は、前記第一側壁に前記第一端壁を着脱可能に連結し且つ前記第二側壁に前記第一端壁を着脱可能に連結する第一連結部と、前記第一側壁に前記第二端壁を着脱可能に連結し且つ前記第二側壁に前記第二端壁を着脱可能に連結する第二連結部と、を有することが好ましい。
【０００９】
また、前記基板を厚さ方向から見たときの外形形状は略矩形形状であり、前記第一側壁は、前記一側辺において折り曲げ可能に前記基板と一体成形され、前記第二側壁は、前記他側辺において折り曲げ可能に前記基板と一体成形され、前記端壁は、前記基板の側辺のうち前記一側辺と前記他側辺とのどちらとも異なる２つの側辺のうちの少なくともいずれかの側辺において折り曲げ可能に前記基板と一体成形されていることが好ましい。
【００１０】
また、前記一側辺の両端のうちの少なくとも一方の端には、前記一側辺の中間部において前記第一側壁と前記基板とを接続状態とし且つ当該少なくとも一方の端において前記第一側壁と前記基板とを未接続状態とする切れ込みが形成されており、前記他側辺の両端のうちの少なくとも一方の端には、前記他側辺の中間部において前記第二側壁と前記基板とを接続状態とし且つ当該少なくとも一方の端において前記第二側壁と前記基板とを未接続状態とする切れ込みが形成されていることが好ましい。
【００１１】
また、前記第一側壁と前記第二側壁とを連結する棒状の綴じ棒をさらに備えることが好ましい。
【００１２】
本発明のバインダーは、本発明の綴じ具と、前記基板が固定される背表紙並びに該背表紙に連結された表紙及び裏表紙を有する表装部材と、を備えることを特徴とするバインダーである。
【発明の効果】
【００１３】
本発明の綴じ具及びバインダーによれば、耐久性の高い綴じ具及びバインダーとすることができる。
【図面の簡単な説明】
【００１４】
【図１】本発明の一実施形態のバインダーを示す斜視図である。
【図２】同バインダーに設けられた綴じ具の端壁部分の拡大図である。
【図３】同綴じ具を展開したときの平面図である。
【図４】図３の一部の拡大図である。
【図５】同綴じ具を組み立てる工程を説明するための説明図である。
【図６】同綴じ具を組み立てる工程を説明するための説明図である。
【図７】同綴じ具を組み立てる工程を説明するための説明図である。
【図８】同綴じ具の作用を説明するための説明図である。
【発明を実施するための形態】
【００１５】
本発明の一実施形態の綴じ具１０及びバインダー１について説明する。図１は、本実施形態のバインダー１を示す斜視図である。
図１に示すように、バインダー１は、複数の台紙１００を束ねて保持する器具である。複数の台紙１００は、紙や樹脂等によって形成されており、後述する綴じ棒３７を通すための貫通孔１０１が形成されている。これらの台紙１００には、例えば生地、壁紙、タイル等のサンプルが取り付けられる。本実施形態のバインダー１の使用例としては、これらの生地、壁紙、タイル等の見本帳として使用する例が挙げられる。
【００１６】
バインダー１は、表装部材２と、綴じ具１０とを備え、上述の台紙１００は綴じ具１０に着脱可能に連結される。
【００１７】
表装部材２は、表紙３、背表紙４、及び裏表紙５が一続きに繋がり互いに連結されている。また、表装部材２は、表紙３と背表紙４との間と、背表紙４と裏表紙５との間で折り曲げられている。表装部材２の背表紙４の外側面には、バインダー１を持ち運ぶ場合に使用者が把持する取手６が設けられている。また、背表紙４の内側面には、綴じ具１０がリベット止めにより固定されている。
【００１８】
次に、綴じ具１０の構成について詳述する。図２は、綴じ具１０の端壁部分の拡大図である。図３は、綴じ具１０を展開したときの平面図である。図４は、図３の一部の拡大図である。
【００１９】
図１及び図３に示すように、綴じ具１０は、基板１２、第一側壁１５、第二側壁１８、端壁２１、及び連結部２２が一体成形された本体部１１と、本体部１１に着脱可能に連結された綴じ棒３７とを備える。
【００２０】
本体部１１は、樹脂材料によって構成されており、第一側壁１５、第二側壁１８、及び端壁２１を、基板１２に対して折り曲げることができるようになっている。具体的には、第一側壁１５と基板１２との間、第二側壁１８と基板１２との間、及び端壁２１と基板１２との間は、薄肉に形成されている。本実施形態では、これらの薄肉部分は、基板１２の４側辺にそれぞれ設けられている。
【００２１】
図３に示すように、基板１２は、平板状であり、厚さ方向から見たときの外形形状が略矩形形状である。基板１２の形状は、バインダー１に取り付けられる台紙１００の形状及び数量に基づいて適切な形状に設定される。本実施形態では、基板１２を厚さ方向から見たときの外形形状は長方形であり、背表紙４の内側に収まる寸法とされている。基板１２には、表装部材２の背表紙４と連結するための複数の孔１３と、背表紙４に取り付けられる上記取手６を連結するための２つの孔１４とが形成されている。基板１２に形成されたこれらの孔１３，１４は、表装部材２や取手６に対してネジ止めやリベット止めをする目的で使用される。
【００２２】
第一側壁１５は、基板１２の一側辺１２Ａ（本実施形態では基板１２を厚さ方向から見たときの長辺のうちの一方）に設けられている。第一側壁１５と基板１２とは、一側辺１２Ａにおける中間部において接続されており、一側辺１２Ａにおける両端部においては未接続状態となっている。図４に示すように、本体部１１において第一側壁１５と基板１２との連結部分には、一側辺１２Ａにおける両端に切れ込みが形成されている。第一側壁１５の板厚は、基板１２の板厚よりも大きい。また、第一側壁１５には、第一側壁１５の面方向と直交し第二側壁１８へ向かって延びるリブ１６が形成されている。
【００２３】
第一側壁１５には、綴じ棒３７が着脱可能に連結される連結孔１７が複数形成されている。連結孔１７の中心軸線は第一側壁１５の厚さ方向に向けられている。また、綴じ具１０が組み立てられている状態では、連結孔１７に連結された綴じ棒３７は、第一側壁１５の連結孔１７から第二側壁１８の連結孔２０へ向かって延びるようになっている。第一側壁１５における各連結孔１７の位置は、上述の台紙１００における貫通孔１０１の位置と対応させて配置されている。
【００２４】
第二側壁１８は、基板１２を間に挟んで一側辺１２Ａと反対側の側辺である他側辺１２Ｂ（本実施形態では基板１２を厚さ方向から見たときの長辺のうちの他方）に設けられている。第二側壁１８と基板１２とは、他側辺１２Ｂにおける中間部において接続されており、他側辺１２Ｂにおける両端部においては未接続状態となっている。図４に示すように、本体部１１において第二側壁１８と基板１２との連結部分には、他側辺１２Ｂにおける両端に切れ込みが形成されている。第二側壁１８の板厚は、基板１２の板厚よりも大きい。また、第二側壁１８には、第二側壁１８の面方向と直交し第一側壁１５へ向かって延びるリブ１９が形成されている。
【００２５】
第二側壁１８には、綴じ棒３７が着脱可能に連結される連結孔２０が複数形成されている。連結孔２０の中心軸線は第二側壁１８の厚さ方向に向けられている。また、綴じ具１０が組み立てられている状態では、連結孔２０に連結された綴じ棒３７は、第二側壁１８の連結孔２０から第一側壁１５の連結孔１７へ向かって延びるようになっている。第二側壁１８における各連結孔２０の位置は、上述の台紙１００における貫通孔１０１の位置と対応させて配置されている。
【００２６】
図２ないし図４に示すように、端壁２１は、基板１２の一側辺１２Ａ及び他側辺１２Ｂと交差する側辺１２Ｃ（本実施形態では、基板１２の厚さ方向から基板１２を見たとき短辺）のうちの少なくとも一つの側辺（本実施形態では２つの短辺の両方）に設けられている。端壁２１と基板１２とは、側辺１２Ｃの中間部においては接続状態であり、側辺１２Ｃの両端部においては未接続状態とされている。具体的には、側辺１２Ｃの両端部に位置する端壁２１がそれぞれ切り取られた形状とされることにより側辺１２Ｃの両端部において端壁２１と基板１２との間に隙間が開けられている。
【００２７】
本実施形態では、端壁２１は２つ（第一端壁２１Ａと第二端壁２１Ｂ）設けられている。第一端壁２１Ａ及び第二端壁２１Ｂの形状は、基板１２の厚さ方向から見たときに基板１２の短辺（側辺１２Ｃ）に平行な線を対称軸とした線対称な形状となっている。
【００２８】
図４に示すように、連結部２２は、第一側壁１５に形成された第一溝部２３と、第二側壁１８に形成された第二溝部２７と、端壁２１に形成された第一突起部３１及び第二突起部３４とを備える。連結部２２は、第一端壁２１Ａと第二端壁２１Ｂとのそれぞれに設けられている。以下では、第一側壁１５及び第二側壁１８と第一端壁２１Ａとを連結する連結部２２を第一連結部２２Ａと称し、第一側壁１５及び第二側壁１８と第二端壁２１Ｂとを連結する連結部２２を第二連結部２２Ｂと称する（図１参照）。第一連結部２２Ａと第二連結部２２Ｂとは互いに同じ構成を有している。以下では、第一連結部２２Ａについてのみ説明し、第二連結部２２Ｂについては、対応する構成に対して第一連結部２２Ａと同じ符号を付して重複する説明を省略する。
【００２９】
図４に示すように、第一溝部２３は、第一側壁１５の側辺のうち一側辺１２Ａと交差し且つ端壁２１側に位置する側辺である第一端側側辺１５Ａに開口された溝であり、本実施形態では、第一側壁１５の厚さ方向に貫通している。第一溝部２３は、第一端側側辺１５Ａに形成された開口から一側辺１２Ａと平行に延びる第一突起導入路２４と、一側辺１２Ａから離れる方向へ第一突起導入路２４が曲折されることにより第一突起導入路２４に形成された第一突起係止部２５とを有している。また、第一突起係止部２５における端壁２１に近い側の内面は、第一側壁１５の厚さ方向から見たときに円弧状をなしており、第一突起部３１が入り込む第一軸受け部２６となっている。
【００３０】
第二溝部２７は、第二側壁１８の側辺のうち他側辺１２Ｂと交差し且つ端壁２１側に位置する側辺である第二端側側辺１８Ａに開口された溝であり、本実施形態では、第二側壁１８の厚さ方向に貫通している。第二溝部２７は、第二端側側辺１８Ａに形成された開口から他側辺１２Ｂと平行に延びる第二突起導入路２８と、他側辺１２Ｂから離れる方向へ第二突起導入路２８が曲折されることにより第二突起導入路２８に形成された第二突起係止部２９とを有している。また、第二突起係止部２９における端壁２１に近い側の内面は、第二側壁１８の厚さ方向から見たときに円弧状をなしており、第二突起部３４が入り込む第二軸受け部３０となっている。
第一軸受け部２６における円弧の中心と第二軸受け部３０における円弧の中心とを結ぶ直線は、基板１２の短辺（側辺１２Ｃ）と平行になっている。
【００３１】
第一突起部３１は、端壁２１の側辺に形成され第一溝部２３に入り込む第一柱状部３２と、第一柱状部３２の突出端に形成された第一フランジ部３３とを有する。
【００３２】
第一柱状部３２は、中心軸線方向の寸法が少なくとも第一側壁１５の厚さ寸法以上に設定された円柱状部材である。
【００３３】
第一フランジ部３３は、第一柱状部３２の径方向外側へと広がる環状形状を有している。第一柱状部３２の中心軸線方向から見たときの第一フランジの外形形状は円形であり、第一柱状部３２の中心軸線に直交する方向における第一フランジ部３３の外径寸法は、第一突起係止部２５の内寸よりも大きい。これにより、第一フランジ部３３が形成された第一柱状部３２が第一溝部２３内に入り込んだときには、第一フランジ部３３が第一側壁１５に当接可能となる。これにより、第一突起部３１が第一側壁１５の厚さ方向に移動して第一側壁１５から抜けるのが防止される。
【００３４】
第二突起部３４は、端壁２１の側辺に形成され第二溝部２７に入り込む第二柱状部３５と、第二柱状部３５の突出端に形成された第二フランジ部３６とを有する。
【００３５】
第二柱状部３５は、中心軸線方向の寸法が少なくとも第二側壁１８の厚さ寸法以上に設定された円柱状部材である。
【００３６】
第二フランジ部３６は、第二柱状部３５の径方向外側へと広がる環状形状を有している。第二柱状部３５の中心軸線に直交する方向における第二フランジ部３６の外径寸法は、第二突起係止部２９の内寸よりも大きい。これにより、第二フランジ部３６が形成された第二柱状部３５が第二溝部２７内に入り込んだときには、第二フランジ部３６が第二側壁１８に当接可能となる。これにより、第二突起部３４が第二側壁１８の厚さ方向に移動して第二側壁１８から抜けるのが防止される。
【００３７】
このように、連結部２２は、第一側壁１５に端壁２１を着脱可能に連結し、且つ、第二側壁１８に端壁２１を着脱可能に連結することができる。
【００３８】
図１に示す綴じ棒３７は、第一側壁１５と前記第二側壁１８とを連結する棒状部材である。綴じ棒３７の両端は、第一側壁１５に形成された連結孔１７及び第二側壁１８に形成された連結孔２０の内面に引っかかる凹凸形状を有している。本実施形態では、第一側壁１５及び第二側壁１８には、複数の綴じ棒３７が互いに平行に連結されている。
【００３９】
次に、本実施形態の綴じ具１０を組み立てる工程について説明する。図５，図６，及び図７は、綴じ具１０を組み立てる工程を説明するための説明図である。
まず、平板状の形状で供給される本体部１１における各側壁（第一側壁１５及び第二側壁１８、以下同じ）を基板１２に対して垂直となるように折り曲げ、さらに第一側壁１５と第二側壁１８とを綴じ棒３７を用いて連結する（図１参照）。
【００４０】
次に、図５に示すように、端壁２１（本実施形態では第一端壁２１Ａ及び第二端壁２１Ｂの両方）を基板１２に対して垂直となるように折り曲げる。すると、端壁２１に形成された第一突起部３１は、第一側壁１５において第一溝部２３よりも基板１２から離れた部分に当接する。また、各端壁２１に形成された第二突起部３４は、第二側壁１８において第二溝部２７よりも基板１２から離れた位置に当接する。
【００４１】
その後、図６に示すように、綴じ具１０を組み立てる作業者の手作業等によって、第一突起部３１が第一突起導入路２４に入り込み且つ第二突起部３４が第二突起導入路２８に入り込むように、基板１２を弾性変形させる。作業者は、基板１２を押圧して基板１２を弾性変形させてもよいし、端壁２１において基板１２の短辺（側辺１２Ｃ）と反対側に位置する側辺（符号２１Ｘで示す）を押圧して基板１２を弾性変形させてもよい。
このとき、第一側壁１５と基板１２との間に形成された切れ込みと、第二側壁１８と基板１２との間に形成された切れ込みとが広がることにより、軽い力で基板１２を弾性変形させることができる。
【００４２】
また、図７に示すように、基板１２の短辺（側辺１２Ｃ）の中間部を押圧した場合及び端壁２１の側辺２１Ｘを押圧した場合、基板１２における側辺１２Ｃの中間部に押圧力がかかる。これにより、基板１２の一側辺１２Ａが延びる方向へ向かって基板１２を見たときに側辺１２Ｃの中央部分が最深部となる湾曲形状をなすように基板１２が変形される。このとき、端壁２１において側辺１２Ｃの両端部に形成された基板１２との隙間部分は、基板１２の側辺１２Ｃの両端と端壁２１との接触を防止するための逃げとなっている。
【００４３】
第一突起導入路２４に第一突起部３１が挿入され、第二突起導入路２８に第二突起部３４が挿入されたら、基板１２に対して端壁２１が垂直となるように基板１２に対して端壁２１を作業者が例えば手作業により折り込む。基板１２に対して端壁２１が垂直となる位置において、基板１２が平板状になろうとする復元力により、第一突起部３１は第一突起係止部２５に入り込み、第二突起部３４は第二突起係止部２９に入り込む。
【００４４】
これにより、端壁２１は、第一側壁１５と第二側壁１８との両方と連結される。端壁２１が第一側壁１５及び第二側壁１８に連結された状態では、基板１２に対して垂直に立てられた端壁２１，第一側壁１５，及び第二側壁１８が基板１２を補強する枠となる。
綴じ具１０は、以上に説明した工程によって組み立てられる。
【００４５】
綴じ具１０が組み立てられたら、本体部１１の基板１２と、表装部材２の背表紙４とを例えばネジやリベット等を用いて固定し、さらに取手６を固定する。
なお、必要に応じて、綴じ棒３７に台紙１００を取り付けてもよい。
バインダー１は、以上に説明した工程によって組み立てられる。
【００４６】
綴じ具１０が表層部材の背表紙４に固定された後であっても、基板１２を弾性変形させるように手作業等によって各端壁２１を押圧することにより、各突起係止部（第一突起係止部２５及び第二突起係止部２９）から各突起部（第一突起部３１及び第二突起部３４）を抜く事ができる。これにより、バインダー１に取り付ける台紙１００を交換する場合に容易に第一側壁１５と第二側壁１８とを開くことができる。
【００４７】
次に、本実施形態の綴じ具１０の作用について説明する。
【００４８】
綴じ具１０の端壁２１には、図１に示す複数の台紙１００の縁が接する場合があり、この場合には、端壁２１に台紙１００の重さがかかる。
例えば第一側壁１５及び第二側壁１８に端壁２１が連結されていない場合、台紙１００の重さによって端壁２１が開いてしまう場合がある。この場合、当該端壁２１が下となるようにバインダー１が載置されているときに、バインダー１の載置面に端壁２１が接する可能性がある。バインダー１の載置面に端壁２１が接したままバインダー１を移動させると、端壁２１が載置面に引っかかり、端壁２１が破損する可能性が考えられる。例えば上記特許文献１に記載の見本帳用バインダーの場合、端壁は基板のみに固定されているので、端壁が破損する恐れがあり耐久性に劣る。
【００４９】
これに対して、本実施形態の綴じ具１０及びバインダー１によれば、第一側壁１５及び第二側壁１８に端壁２１が連結されているので、基板１２が平板状に維持されている状態では、端壁２１が、第一側壁１５及び第二側壁１８から離れないように保持される。
【００５０】
また、バインダー１が傾けられた場合には、例えば図８に示すように綴じ具１０も水平線に対して傾く場合ある。このとき、第一軸受け部２６（図４参照）に第一突起部３１が支持され、第二軸受け部３０に第二突起部３４が支持される。このため、第一突起係止部２５から第一突起部３１が外れにくく、第二突起係止部２９から第二突起部３４が外れにくい。これにより、例えばバインダー１を取り扱う人の背よりも高い位置にバインダー１を出し入れする際に、バインダー１が傾いても、第一側壁１５及び第二側壁１８から端壁２１が離れないように保持される。これにより、第一側壁１５と第二側壁１８とが開かないように確実に保持されるとともに端壁２１が破損しにくくなっている。
【００５１】
以上説明したように、本実施形態の綴じ具１０及びバインダー１によれば、耐久性の高い綴じ具１０及びバインダー１とすることができる。さらに、本実施形態の綴じ具１０及びバインダー１によれば、端壁２１を第一側壁１５及び第二側壁１８から容易に外すことができるので、台紙１００の加除等の作業が容易にできる。
【００５２】
また、端壁２１に形成された第一突起部３１及び第二突起部３４の突出端にフランジ部（第一フランジ部３３及び第二フランジ部３６）が形成されているので、台紙１００の重み等によって各側壁が開くのを防止することができる。
さらに、端壁２１が基板１２の上辺と下辺とにそれぞれ設けられているので、台紙１００の重みによって第一側壁１５と第二側壁１８とが開くのを効果的に抑制することができる。
【００５３】
また、第一突起部３１の第一柱状部３２と第二突起部３４の第二柱状部３５とがいずれも円柱状であり、第一柱状部３２が第一軸受け部２６に係止され第二柱状部３５が第二軸受け部３０に係止されるようになっているので、バインダー１の使用時にバインダー１が傾いても端壁２１が第一側壁１５及び第二側壁１８から外れにくい。
【００５４】
以上、本発明の実施形態について図面を参照して詳述したが、具体的な構成はこの実施形態に限られるものではなく、本発明の要旨を逸脱しない範囲の設計変更等も含まれる。
【符号の説明】
【００５５】
１  バインダー
２  表装部材
３  表紙
４  背表紙
５  裏表紙
６  取手
１０  綴じ具
１１  本体部
１２  基板
１２Ａ  基板の側辺（一側辺）
１２Ｂ  基板の側辺（他側辺）
１２Ｃ  基板の側辺
１３  孔
１４  孔
１５  第一側壁
１５Ａ  第一端側側辺
１６  リブ
１７  連結孔
１８  第二側壁
１８Ａ  第二端側側辺
１９  リブ
２０  連結孔
２１  端壁
２１Ａ  第一端壁
２１Ｂ  第二端壁
２１Ｘ  端壁の側辺
２２  連結部
２２Ａ  第一連結部
２２Ｂ  第二連結部
２３  第一溝部
２４  第一突起導入路
２５  第一突起係止部
２６  第一軸受け部
２７  第二溝部
２８  第二突起導入路
２９  第二突起係止部
３０  第二軸受け部
３１  第一突起部
３２  第一柱状部
３３  第一フランジ部
３４  第二突起部
３５  第二柱状部
３６  第二フランジ部
３７  綴じ棒
１００  台紙
１０１  貫通孔
【図１】
2013119235.tif 000003
【図２】
2013119235.tif 000004
【図３】
2013119235.tif 000005
【図４】
2013119235.tif 000006
【図５】
2013119235.tif 000007
【図６】
2013119235.tif 000008
【図７】
2013119235.tif 000009
【図８】
2013119235.tif 000010